【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】
【請求項１】  式Ｉａ又はＩｂ：
【化１】
2002525285.tif 000001
［式中、Ａは、ＣＨ２又は単結合であり、
Ｒ２は、Ｒ、ＯＨ、ＯＲ、ＣＯ２Ｈ、ＣＯ２Ｒ、ＣＯＨ、ＣＯＲ、ＳＯ２Ｒ、ＣＮから選択され、
Ｒ６、Ｒ７及びＲ９は、独立に、Ｈ、Ｒ、ＯＨ、ＯＲ、ハロ、アミノ、ＮＨＲ、ニトロ、Ｍｅ３Ｓｎから選択され、
｛但し、Ｒは、１〜１０個の炭素原子を有する低級アルキル基又は１２個以下の炭素原子のアラルキル基（そのアルキル基は、任意に、１個又は２個以上の、共役系の一部を形成することができる炭素−炭素二重結合又は三重結合を含有する）又は１２個以下の炭素原子のアリール基であり、そして、任意に、１個又は２個以上のハロ、ヒドロキシ、アミノ又はニトロ基によって置換されており、そして任意に、１個又は２個以上の、官能基の一部を形成するか又は官能基であってよいヘテロ原子を含有する｝、そして
Ｒ８は、Ｈ、Ｒ、ＯＨ、ＯＲ、ハロ、アミノ、ＮＨＲ、ニトロ、Ｍｅ３Ｓｎ（但し、Ｒは、上記定義された通りである）から選択される］の化合物、
又は、この化合物は、同じものか又は異なったものであり、式Ｉａ又はＩｂのものである各単量体による二量体［但し、単量体のＲ８基は、一緒に、単量体を結合する式−Ｘ−Ｒ’−Ｘ−｛式中、Ｒ’は、３〜１２個の炭素原子を含有するアルキレン鎖（但し、この鎖は、１個又は２個以上のヘテロ原子及び／又は芳香族環によって遮断されていてよく、そして１個又は２個以上の炭素−炭素二重結合又は三重結合を含有していてよい）であり、各Ｘは、独立に、Ｏ、Ｓ又はＮから選択される｝を有する架橋を形成するか又はＲ７及びＲ８は一緒に、基−Ｏ−（ＣＨ２）ｐ−Ｏ−（但し、ｐは１又は２である）を形成する］である［但し、式Ｉａの化合物に於いて、Ａが単結合であるとき、Ｒ２はＣＨ＝ＣＲＡＲＢ｛式中、ＲＡ及びＲＢは、独立に、Ｈ、ＲＣ、ＣＯＲＣ、ＣＯＮＨ２、ＣＯＮＨＲＣ、ＣＯＮＲＣ２、シアノ又はホスホナート（式中、ＲＣは、１〜４個の炭素原子を有する非置換のアルキル基である）から選択される｝ではない］。
【請求項２】  ＡがＣＨ２である、請求項１に記載の化合物。
【請求項３】  Ｒ２が、ＣＯ２Ｈ、ＣＯ２Ｒ、ＣＨ２ＯＨ又はＣＨ２ＯＲである、請求項２に記載の化合物。
【請求項４】  Ｒ２が、ＣＯ２Ｍｅ、ＣＯ２ｔＢｕ、ＣＨ２ＯＨ又はＣＨ２ＯＡｃである、請求項３に記載の化合物。
【請求項５】  Ａが単結合であり、そしてＲ２が、アリール基又は少なくとも１個の、Ｃ−環の二重結合と共に共役系の一部を形成する二重結合を含有するアルキル若しくはアルカリール基である、請求項１に記載の化合物。
【請求項６】  Ｒ６、Ｒ７及びＲ９並びに化合物が二量体でない場合にＲ８が、独立に、Ｈ及びＯＲから選択される、請求項１〜５の何れか１項に記載の化合物。
【請求項７】  Ｒ６、Ｒ７及びＲ９並びに化合物が二量体でない場合にＲ８が、独立に、Ｈ、ＯＭｅ及びＯＣＨ２Ｐｈから選択される、請求項６に記載の化合物。
【請求項８】  Ｒ７及び化合物が二量体でない場合にＲ８がＯＲであり、そしてＲ６及びＲ９がＨである、請求項６に記載の化合物。
【請求項９】  Ｒ７及び化合物が二量体でない場合にＲ８が、独立にＯＭｅ又はＯＣＨ２Ｐｈである、請求項８に記載の化合物。
【請求項１０】  式Ｉａの請求項１〜９の何れか１項に記載の化合物。
【請求項１１】  二量体であり、二量体架橋が、式−Ｏ−（ＣＨ２）ｐ−Ｏ−（但し、ｐは３〜１２である）のものである、請求項１〜１０の何れか１項に記載の化合物。
【請求項１２】  （１１ａＳ）−１，１１ａ−ジヒドロ−７，８−ジメトキシ−２−（４−メトキシフェニル）−５Ｈ−ピロロ［２，１−ｃ］［１，４］ベンゾジアゼピン−５−オンである請求項１に記載の化合物。
【請求項１３】  式ＩＩ：
【化２】
2002525285.tif 000002
［式中、Ｒ’２は、ＣＨ２であり、
Ｒ６、Ｒ７、Ｒ８及びＲ９は、独立に、Ｈ、Ｒ、ＯＨ、ＯＲ、ハロ、アミノ、ＮＨＲ、ニトロ、Ｍｅ３Ｓｎから選択され
｛但し、Ｒは、１〜１０個の炭素原子を有する低級アルキル基又は１２個以下の炭素原子のアラルキル基（そのアルキル基は、任意に、１個又は２個以上の、共役系の一部を形成することができる炭素−炭素二重結合又は三重結合を含有する）又は１２個以下の炭素原子のアリール基であり、そして、任意に、１個又は２個以上のハロ、ヒドロキシ、アミノ又はニトロ基によって置換されており、そして任意に、１個又は２個以上の、官能基の一部を形成するか又は官能基であってよいヘテロ原子を含有する｝、又はＲ７及びＲ８は一緒に、基−Ｏ−（ＣＨ２）ｐ−Ｏ−（但し、ｐは１又は２である）を形成する］
の化合物。
【請求項１４】  式ＩＩ：
【化２】
2002525285.tif 000003
［式中、Ｒ’２は、Ｏ、ＣＨ２から選択され、
Ｒ６、Ｒ７及びＲ９は、独立に、Ｈ、Ｒ、ＯＨ、ＯＲ、ハロ、アミノ、ＮＨＲ、ニトロ、Ｍｅ３Ｓｎから選択され
｛但し、Ｒは、１〜１０個の炭素原子を有する低級アルキル基又は１２個以下の炭素原子のアラルキル基（そのアルキル基は、任意に、１個又は２個以上の、共役系の一部を形成することができる炭素−炭素二重結合又は三重結合を含有する）又は１２個以下の炭素原子のアリール基であり、そして、任意に、１個又は２個以上のハロ、ヒドロキシ、アミノ又はニトロ基によって置換されており、そして任意に、１個又は２個以上の、官能基の一部を形成するか又は官能基であってよいヘテロ原子を含有する｝、及び
Ｒ８は、この化合物が、同じものか又は異なったものであり、式ＩＩのものである各単量体による二量体（但し、単量体のＲ８基は、一緒に、単量体を結合する式−Ｘ−Ｒ’−Ｘ−｛式中、Ｒ’は、３〜１２個の炭素原子を含有するアルキレン鎖（但し、この鎖は、１個又は２個以上のヘテロ原子及び／又は芳香族環によって遮断されていてよく、そして１個又は２個以上の炭素−炭素二重結合又は三重結合を含有していてよい）であり、各Ｘは、独立に、Ｏ、Ｓ又はＮから選択される｝を有する架橋を形成する）であるように選択される］
の化合物。
【請求項１５】  二量体であり、二量体架橋が、式−Ｏ−（ＣＨ２）ｐ−Ｏ−（式中、ｐは３〜１２である）のものである、請求項１４に記載の化合物。
【請求項１６】  Ｒ６、Ｒ７及びＲ９並びに化合物が二量体でない場合にＲ８が、独立に、Ｈ、ＯＲ又はハロゲン原子から選択される、請求項１３、請求項１４および請求項１５に記載の化合物。
【請求項１７】  Ｒ６、Ｒ７及びＲ９並びに化合物が二量体でない場合にＲ８が、独立に、Ｈ、ＯＭｅ及びＯＣＨ２Ｐｈ並びにＩから選択される、請求項１６に記載の化合物。
【請求項１８】  Ｒ７及び化合物が二量体でない場合にＲ８が、独立に、ＯＲ又はハロゲン原子であり、Ｒ６及びＲ９がＨである、請求項１６に記載の化合物。
【請求項１９】  Ｒ７及び化合物が二量体でない場合にＲ８が、独立に、ＯＭｅ、ＯＣＨ２Ｐｈ又はＩから選択される、請求項１８に記載の化合物。
【請求項２０】  式ＩＩＩ：
【化３】
2002525285.tif 000004
［式中、Ｒ６、Ｒ７及びＲ９は、独立に、Ｈ、Ｒ、ＯＨ、ＯＲ、ハロ、アミノ、ＮＨＲ、ニトロ、Ｍｅ３Ｓｎから選択され
｛但し、Ｒは、１〜１０個の炭素原子を有する低級アルキル基又は１２個以下の炭素原子のアラルキル基（そのアルキル基は、任意に、１個又は２個以上の、共役系の一部を形成することができる炭素−炭素二重結合又は三重結合を含有する）又は１２個以下の炭素原子のアリール基であり、そして、任意に、１個又は２個以上のハロ、ヒドロキシ、アミノ又はニトロ基によって置換されており、そして任意に、１個又は２個以上の、官能基の一部を形成するか又は官能基であってよいヘテロ原子を含有する｝］
の化合物。
【請求項２１】    （１１ａＳ）−８−アミノ−１，２，３，１１ａ−テトラヒドロ−５Ｈ−ピロロ［２，１−ｃ］［１，４］ベンゾジアゼピン−５−オンである請求項２０に記載の化合物。
【請求項２２】  式ＩＶ：
【化４】
2002525285.tif 000005
［式中、Ｒ６、Ｒ７及びＲ９は、独立に、Ｈ、Ｒ、ＯＨ、ＯＲ、ハロ、アミノ、ＮＨＲ、ニトロ、Ｍｅ３Ｓｎから選択され
｛但し、Ｒは、１〜１０個の炭素原子を有する低級アルキル基又は１２個以下の炭素原子のアラルキル基（そのアルキル基は、任意に、１個又は２個以上の、共役系の一部を形成することができる炭素−炭素二重結合又は三重結合を含有する）又は１２個以下の炭素原子のアリール基であり、そして、任意に、１個又は２個以上のハロ、ヒドロキシ、アミノ又はニトロ基によって置換されており、そして任意に、１個又は２個以上の、官能基の一部を形成するか又は官能基であってよいヘテロ原子を含有する｝、
Ｒ８’及びＲ８”は、独立にＨ、Ｒから選択されるか又は一緒に環式アミンを形成し、そして
ｎは１〜７である］
の化合物。
【請求項２３】  Ｒ’８及びＲ”８の一方が窒素保護基である、請求項２２に記載の化合物。
【請求項２４】  Ｒ７が電子求引性基である、請求項２２又は請求項２３に記載の化合物。
【請求項２５】  Ｒ６及びＲ９がＨ及びＯＲから選択される、請求項２２〜請求項２４の何れか１項に記載の化合物。
【請求項２６】  Ｒ６及びＲ９が、ＯＭｅ、ＯＥｔ及びＯＢｎから選択される、請求項２５に記載の化合物。
【請求項２７】  ｎが１〜３である、請求項２２〜請求項２６の何れか１項に記載の化合物。
【請求項２８】  Ｒが、任意に、１個又は２個以上のハロ、ヒドロキシ、アミノ又はニトロ基によって置換された、１〜１０個の炭素原子を有する低級アルキル基又は１２個以下の炭素原子のアラルキル基又は１２個以下の炭素原子のアリール基から選択される、請求項１〜２７の何れか１項に記載の化合物。
【請求項２９】  Ｒが、任意に、１個又は２個以上のハロ、ヒドロキシ、アミノ又はニトロ基によって置換された、１〜１０個の炭素原子を有する低級アルキル基から選択される、請求項２８に記載の化合物。
【請求項３０】  Ｒが、１〜１０個の炭素原子を有する非置換の直鎖又は分枝鎖アルキルである、請求項２９に記載の化合物。
【請求項３１】  請求項１〜請求項３０の何れか１項に記載の化合物及び薬物的に許容される担体又は希釈剤を含有する薬物組成物。
【請求項３２】  増殖性疾患の治療のための医薬を製剤するための、請求項１〜請求項３０の何れか１項に記載の化合物の使用。
【請求項３３】  ウイルス、寄生虫又は細菌感染の治療のための医薬を製剤するための、請求項１〜請求項３０の何れか１項に記載の化合物の使用。
【請求項３４】  請求項１〜請求項３０の何れか１項に記載の化合物の製造方法。
【請求項３５】  治療方法に使用するための、請求項１〜３０の何れか１項に記載の化合物。